【手続補正書】
【提出日】平成19年8月6日(2007.8.6)
【手続補正１】
【補正対象書類名】明細書
【補正対象項目名】特許請求の範囲
【補正方法】変更
【補正の内容】
【特許請求の範囲】
【請求項１】
タイヤ内側表面の製造型の少なくとも一部を規定するタイヤの成形、加硫用の剛体のコアにおいて、
横方向面（10d1、10i1）が互いに接触する状態で互いに並んで配置された周方向に互いに隣接した複数の断片（10、20、30）からなり、少なくとも１つの断片（10i）の横方向面はコアの外側へ向かって放射状に収斂しており、各断片（10、20、30）は各断片を一体化する部材に取付けられる接触部分（12、22、32）とこの接触部分(12、22、32)と一体な主要部分(13、23、33)とを有し、上記接触部分は各断片の放射方向内側端部に配置され且つ第1の材料で作られ、上記主要部分(13、23、33)は第1の材料とは異なる第2の材料で作られ且つ上記接触部分（12、22、32）と一体であり、上記主要部分(23)の外側表面が上記製造型の少なく一部を区画し、上記接触部分は製造型を区画しないことを特徴とするコア。
【請求項２】
製造型が、製造型の端部を区画する成形表面を区画しない中間面(21)を介して最小半径方向へ向かって放射方向に延びており、この中間面(21)は軸線に対して直角な面内にあるか、截頭台形をしていて、横方向シェル上にあるビード成形領域の延長部にある対応面と協働し、接触部分(22)と主要部分(23)とを分離する接合線（L2）が上記中間面上にある請求項１に記載のコア。
【請求項３】
上記中間面(21)の放射方向下側に円筒形の心出し支持面を有する請求項２に記載のコア。
【請求項４】
接触部分(12、22、32)が鋼で作られ、主要部分(13、23、33)がアルミニウム合金で作られている請求項１〜３のいずれか一項に記載のコア。
【請求項５】
各断片を一体化する上記部材が周方向に連続したリム(14、24、34)である請求項１〜４のいずれか一項に記載のコア。
【請求項６】
ゴムの加硫温度では主要部分が隣接する断片の間で突出しない状態で遊びゼロで互いに接触し且つ均一な成形表面を形成し、加硫温度以下の温度では主要部分の間に遊びできるように、全ての断片(10、20、30)を考慮し、主要部分(13、23、33)、接触部分(12、22、32)および主要部分と接触部分との間の接合部の寸法および構成が決定されている請求項１〜５のいずれか一項に記載のコア。
【請求項７】
熱伝導を良くするために、各断片の主要部分に少なくとも一つの電気抵抗器(74)が一体成形されている請求項１〜６のいずれか一項に記載のコア。
【請求項８】
各主要部分が放射方向外側を向いたドームを形成する壁を有し、この壁の中に上記電気抵抗器(74)が埋め込まれている請求項７に記載のコア。
【請求項９】
コネクタ(75)を有し、このコネクタ(75)はグリッパが加硫ステーションに接近した時に、機械の加硫ステーションにコアを接続させ、抵抗器に電気エネルギーを供給する請求項７に記載のコア。
【請求項１０】
下記の（1）〜（2）を有する請求項５に記載のコア：
(1)  各断片(30)の接触部分(32)に配置された少なくとも１つの断片側部取付け接触支持面、
(2)  リム(34)に対して断片(30)を放射方向に分離しようとする力を吸収するために、各断片(30)毎に、上記断片側部取付け接触支持面と協働する、リム(34)に配置された、上記断片側部取付け接触支持面の逆形状を有するリム側部取付け接触支持面。
【請求項１１】
上記断片側部取付け接触支持面および上記リム側部取付け接触支持面が、全ての断片に対するリムの軸線方向運動が単一方向に起こるような形状をしている請求項１０に記載のコア。
【請求項１２】
上記断片側部取付け接触支持面および上記リム側部取付け接触支持面の各々が周方向に配置された嘴部(37、38)上に配置されている請求項請求項１０に記載のコア。
【請求項１３】
上記コネクタ(75)を介してコアを一つまたは複数の測定プローブとの接続ができる請求項９に記載のコア。
【手続補正２】
【補正対象書類名】明細書
【補正対象項目名】０００４
【補正方法】変更
【補正の内容】
【０００４】
この剛性コアはタイヤの内側表面の製造型の少なくとも一部を規定するためのものである。このコアは、ビードの内側空間を通ってタイヤの内部から抜き取ることができるようにするために、複数の断片で構成されている。このコアは横方向面が接触するように互いに並んで配置された周方向に互いに隣接した複数の断片からなる。「横方向面」とはコアの一方の側から他方の側へ延びる面を意味する。図示した実施例では、これらの面はコアの軸線に対して平行な面である。なお、本発明がこれらの特徴に限定されるものではない。
【手続補正３】
【補正対象書類名】明細書
【補正対象項目名】０００６
【補正方法】変更
【補正の内容】
【０００６】
【課題を解決するための手段】
主要部分の主要な役目はタイヤの内側表面を成形することにある。すなわち、主要部分は製造型の役目をし、タイヤの内側表面を成形する。接触部分の主要な役目はコアを構成する各断片を一体化するための部材に各断片を固定することにある。各断片は各種断片を一体化するための部材に固定するための部分を有している。
【手続補正４】
【補正対象書類名】明細書
【補正対象項目名】００１１
【補正方法】変更
【補正の内容】
【００１１】
本発明の別の観点から、断片間にバリが発生するのを防止し、一連の取外し／取付け操作に耐えることができる極めて堅固なコアの構造を得るために、タイヤの内側表面用の製造型の少なくとも一部を規定する剛性コアにおいて、剛性コアが横方向面が接触するように互いに並んで配置された周方向に互いに隣接する複数の断片からなり、少なくとも１つの断片の横方向面はコアの外側へ向かって放射状に収斂しており、各断片は各種断片を一体化するための部材を有する接触部分を有し、この接触部分は各断片の放射方向内側端部に配置され且つ主として第1の材料で作られており、さらに、接触部分と一体な主要部分を有し、この主要部分は主として第1材料とは異なる第2の材料で作られ且つ接触部分と一体であり、ゴムの加硫温度で主要部分が隣接断片の間へ突出しない状態で遊びゼロで互いに接触し且つ均一な成形表面を形成し、加硫温度以下の温度では主要部分の間に遊びできるように主要部分、接触部分および主要部分と接触部分との間の接合部の寸法および構成が決定されているコアが提供される。
【手続補正５】
【補正対象書類名】明細書
【補正対象項目名】００１２
【補正方法】変更
【補正の内容】
【００１２】
本発明のさらに別の観点から、熱交換をよくするために、タイヤの内側表面用の製造型の少なくとも一部を規定する剛性コアにおいて、横方向面が接触するように互いに並んで配置された周方向に互いに隣接した複数の断片からなり、少なくとも１つの断片の横方向面はコアの外側へ放射方向に収斂しており、各断片は各種断片を一体化するための部材に接触する接触部分を有し、この接触部分は各断片の放射方向内側端部に配置され、さらに、接触部分と一体化された主要部分を有し、この主要部分は主として熱伝導性の良好な流動性のある材料で作られており、各断片には熱伝導を良くするための電気抵抗器が少なくとも一つ一体成形されていることを特徴とするコアが提供される。
本発明の上記以外の特徴および利点は添付図面を参照した以下の説明からより良く理解できよう。